(57)【要約】【課題】確実に１つおきのポリゴンミラーの同じ面に複数の光源からの光ビームを入射させてこれらの光ビームから同期信号を発生させる。【解決手段】複数のＬＤユニット２１，２２，３２，３３を有し、ポリゴンミラー２７を使用して光走査する光ビーム走査装置において、複数のＬＤユニットのうち少なくとも２つのＬＤユニット２２，３３からの光ビームが入射して同期信号Ｓ１，Ｓ２を生成する同期センサ４０と、ポリゴンミラー２７のミラー面を１面おきに使用して走査する際、同期センサ４０から出力される複数の同期信号Ｓ１，Ｓ２のうち基準となる同期信号Ｓ１を生成させるＬＤユニット２２からの光ビームと同一のポリゴンミラー面に、同期信号を生成する他のＬＤユニット３３からの光ビームが入射するように、基準となる同期信号Ｓ１に基づいて他の光ビームの同期信号Ｓ２の発生タイミングを設定した。【選択図】図３
2009202470.tif 000002
【特許請求の範囲】
【請求項１】
複数の光源を有し、ポリゴンミラーを使用して被走査対象に対して光走査する光ビーム走査装置において、
前記複数の光源のうち少なくとも２つの光源からの光ビームが入射し、それぞれの光ビームの入射によって同期信号を生成する同期信号生成手段と、
前記ポリゴンミラーのミラー面を１面おきに使用して走査する際、前記同期信号生成手段から出力される複数の同期信号のうち基準となる同期信号を生成させる光源からの光ビームと同一のポリゴンミラー面に、前記同期信号を生成する他の光ビームが入射するように前記基準となる同期信号に基づいて前記他の光ビームの同期信号発生タイミングを設定するタイミング設定手段と、
を備えていることを特徴とする光ビーム走査装置。
【請求項２】
請求項１記載の光ビーム走査装置において、
前記タイミング設定手段が、前記基準となる同期信号を生成させる光ビームによって生成される同期信号に基づいて前記他の光ビームの点灯開始タイミングを設定することを特徴とする光ビーム走査装置。
【請求項３】
請求項１記載の光ビーム走査装置において、
前記タイミング設定手段が、
前記同期信号生成手段から生成される同期信号の発生タイミングを計測する同期信号発生タイミング計測手段と、
前記同期信号発生タイミング計測手段によって計測された同期信号発生タイミングに基づいて、同一のポリゴンミラー面に前記他の光ビームが入射するように同期信号発生タイミングを補正する同期信号発生タイミング補正手段と、
を備えていることを特徴とする光ビーム走査装置。
【請求項４】
請求項１記載の光ビーム走査装置において、
前記タイミング設定手段が、
前記同期信号生成手段から生成される同期信号の発生タイミングを計測する同期信号発生タイミング計測手段と、
前記同期信号発生タイミング計測手段によって計測された同期信号発生タイミングに基づいて、同一のポリゴンミラー面に前記他の光ビームが入射するように前記他の光ビームの光源を再点灯する再点灯手段と、
を備えていることを特徴とする光ビーム走査装置。
【請求項５】
請求項１ないし４のいずれか１項に記載の光ビーム走査装置を備えていることを特徴とする画像形成装置。
【発明の詳細な説明】
【技術分野】
【０００１】
この発明は、ポリゴンミラーを使用し、レーザ光を主走査方向に走査して光書き込みを行う光ビーム走査装置、及びこの光ビーム走査装置を備えた複写機、プリンタ、ファクシミリ、あるいはこれらの機能を複合して備えたデジタル複合機などの画像形成装置に関する。
【背景技術】
【０００２】
従来から、レーザ走査光学系を用いて感光体上にレーザ光を走査し、静電気的な画像（以下、静電潜像という）を形成し、電子写真技術を用いて記録媒体に画像を形成する画像形成装置が知られている。この種の画像形成装置では、感光体への主走査方向の走査速度は、ポリゴンモータの回転速度がパラメータとなっており、走査速度の限界がこのポリゴンモータの回転速度の限界によって制限されていた。近年、感光体の主走査方向の走査速度の限界から複数のレーザ光を１回の走査で同時に平行して感光体上に走査し、レーザの走査速度を「１／レーザ素子数」で制御して感光体上に画像を形成するマルチビーム走査光学系が提案されており、特に、２つのレーザ光源を用いた２ビーム走査光学系については実現され、すでに利用されている。
【０００３】
このようなマルチビーム走査光学系を有する画像形成装置では、画像形成される記録媒体の種類によって、通常の記録媒体を使用するときと比較して画像形成速度（例えば、感光体の回転速度、記憶媒体の搬送速度など）を変速することが一般的に行われる。この画像形成速度を変速することにより、例えば、通常よりも厚手の紙やＯＨＰ（オーバヘッドプロジェクタ）用フィルム用紙への画像形成を行う際、トナー像を記録媒体上に融着させる熱定着器のトナー像を安定して融着させるための熱量を変化させることができ、この熱定着器によって与えられる記憶媒体への熱量も変化させることができる。
【０００４】
普通紙に対して、厚紙やＯＨＰ用フィルム用紙などの特殊紙に画像形成する場合、通常の半速程度で熱定着器内を通過させる必要があり、このような場合、上述のように画像形成速度を変速することによって熱定着器のヒータ出力を変化させることなく、記録媒体に与えられる熱量を変化させることによって画像形成を行うことが可能となる。
【０００５】
熱定着器内の用紙搬送速度の変速制御時、同様に感光体上に画像形成する画像形成速度も制御する必要がある画像形成装置では、さらに走査光学系による静電潜像の形成速度も変化させて画像形成を行っている。また、マルチビーム走査光学系による画像形成速度の変化は、ポリゴンモータの回転速度を変化させることによって、例えば、通常時に対して半速で画像形成を行う場合、ポリゴンモータ回転数を半速に制御するというようにして行われている。
【０００６】
ポリゴンモータの回転数の変化は、回転制御の基準となるパルスの周波数を変化させることにより行われるが、通常時と半速時でともに安定した一定回転数で回転するように調整する必要があり、このようなポリゴンモータを設計することは困難であった。また、画像形成装置全体としても、通常時、半速時でマルチビーム走査光学系の制御を別の構成とする必要がある。また、通常時から半速時、半速時から通常時への状態遷移において、ポリゴンモータの回転数が所望の回転数で安定して回転するまでに一定時間かかり、状態遷移時にポリゴンモータの回転が安定するまで画像形成装置による画像形成を停止して待機する必要が生じる。
【０００７】
そこで、特許文献１には、画像形成速度を通常時に対して変速した場合にも、ポリゴンモータを通常時と同一の速度で回転制御することができるようにするとともに、変速時から通常時、通常時から変速時というような状態遷移時での画像形成待機時間を低減することができる発明が開示されている。
【特許文献１】特開２００２−３１６４３７号公報
【発明の開示】
【発明が解決しようとする課題】
【０００８】
特許文献１記載の発明のように、画像形成速度を通常時に対して変速した場合にも、ポリゴンモータを通常時と同一の速度で回転制御する技術では、ポリゴンミラー１面おきに同期信号が発生するという構成で各光源が非同期で点灯を開始すると、光源によって異なるポリゴンミラー面で同期信号が発生する。異なるポリゴンミラー面で走査されたとき、副走査方向に１ライン分のずれが生じる。この副走査１ライン分のずれが色ずれとなって印字出力され、カラー画像の品質の低下を招くことになる。
【０００９】
そこで、本発明が解決しようとする課題は、ポリゴンミラー１面おきに同期信号が発生する書き込みモードを備えた光ビーム走査装置において、確実に１つおきのポリゴンミラーの同じ面に複数の光源からの光ビームを入射させてこれらの光ビームから同期信号を発生させることにある。
【課題を解決するための手段】
【００１０】
前記課題を解決するため、第１の手段は、複数の光源を有し、ポリゴンミラーを使用して被走査対象に対して光走査する光ビーム走査装置において、前記複数の光源のうち少なくとも２つの光源からの光ビームが入射し、それぞれの光ビームの入射によって同期信号を生成する同期信号生成手段と、前記ポリゴンミラーのミラー面を１面おきに使用して走査する際、前記同期信号生成手段から出力される複数の同期信号のうち基準となる同期信号を生成させる光源からの光ビームと同一のポリゴンミラー面に、前記同期信号を生成する他の光ビームが入射するように前記基準となる同期信号に基づいて前記他の光ビームの同期信号発生タイミングを設定するタイミング設定手段と、を備えていることを特徴とする。
【００１１】
第２の手段は、第１の手段において、前記タイミング設定手段が、前記基準となる同期信号を生成させる光ビームによって生成される同期信号に基づいて前記他の光ビームの点灯開始タイミングを設定することを特徴とする。
【００１２】
第３の手段は、第１の手段において、前記タイミング設定手段が、前記同期信号生成手段から生成される同期信号の発生タイミングを計測する同期信号発生タイミング計測手段と、前記同期信号発生タイミング計測手段によって計測された同期信号発生タイミングに基づいて、同一のポリゴンミラー面に前記他の光ビームが入射するように同期信号発生タイミングを補正する同期信号発生タイミング補正手段と、を備えていることを特徴とする。
【００１３】
第４の手段は、第１の手段において、前記タイミング設定手段が、前記同期信号生成手段から生成される同期信号の発生タイミングを計測する同期信号発生タイミング計測手段と、前記同期信号発生タイミング計測手段によって計測された同期信号発生タイミングに基づいて、同一のポリゴンミラー面に前記他の光ビームが入射するように前記他の光ビームの光源を再点灯する再点灯手段と、を備えていることを特徴とする。
【００１４】
第５の手段は、第１ないし第４のいずれかの手段に係る光ビーム走査装置を画像形成装置が備えていることを特徴とする。
【００１５】
なお、後述の実施形態では、光源はＬＤユニットＢＫ２１，Ｙ２２，Ｃ３２，Ｍ３３に、ポリゴンミラーは符号２７に、同期信号生成手段は同期センサＢＫＣ３９，ＭＹ４０に、タイミング設定手段は書き込み制御ＡＳＩＣ４２及びＬＤ点灯開始信号発生回路４３に、同期信号発生タイミング計測手段は書き込み制御ＡＳＩＣ４２に、同期信号発生タイミング補正手段は書き込み制御ＡＳＩＣ４２に、再点灯手段はＬＤ点灯開始信号発生回路４３に、ポリゴンモータクロックは書き込み制御ＡＳＩＣ４２から出力されるＰＭクロックに、それぞれ対応する。
【発明の効果】
【００１６】
本発明によれば、同期信号生成手段から出力される複数の同期信号のうち基準となる同期信号を生成させる光源からの光ビームと同一のポリゴンミラー面に、同期信号を生成する他の光ビームが入射するように前記基準となる同期信号に基づいて前記他の光ビームの同期信号発生タイミングを設定するので、確実に１つおきの同じポリゴン面で複数の光源の同期信号を発生させることができる。
【発明を実施するための最良の形態】
【００１７】
以下、本発明の実施形態について、図面を参照して説明する。なお、本発明は、以下に述べる実施形態に限定されるものではなく、特許請求の範囲に記載された技術思想に該当する技術事項全てが含まれる。
【００１８】
図１は搬送ベルトに沿って画像形成部が並んだ直接転写方式のタンデム型カラー画像形成装置の概略構成を示す図である。同図において、カラー画像形成装置は、各々異なる色（マゼンタ：Ｍ、シアン：Ｃ、イエロー：Ｙ、ブラック：Ｋ）の画像を形成する画像形成部（画像ステーション）ＳＴ１，ＳＴ２，ＳＴ３，ＳＴ４が、転写紙１を搬送する搬送ベルト２に沿って、搬送ベルト２の搬送方向に沿って一列に配置されている。搬送ベルト２は、駆動回転する駆動ローラ３と従動回転する従動ローラ４との間に張架されて、駆動ローラ３の回転により矢印方向に回転駆動される。
【００１９】
搬送ベルト２の下部には、転写紙１が収納された給紙トレイ５が備えられている。収納された転写紙１のうち最上位置にある転写紙は、画像形成時には給紙され、静電吸着によって搬送ベルト８上に吸着される。吸着された転写紙１は、第１の画像形成部（マゼンタ）ＳＴ１に搬送され、ここでマゼンタＭの画像形成が行われる。第１の画像形成部（マゼンタ）ＳＴ１は、感光体ドラム６Ｍと感光体ドラム６Ｍの周囲に配置された帯電器７Ｍ、露光器８Ｍ、現像器９Ｍ、感光体クリーナ１０Ｍから構成されている。感光体ドラム６Ｍの表面は、帯電器７Ｍで一様に帯電された後、露光器８Ｍによりマゼンタの画像に対応したレーザ光１１Ｍで露光され、静電潜像が形成される。
【００２０】
形成された静電潜像は現像器９Ｍで現像され、感光体ドラム６Ｍ上にトナー像が形成される。このトナー像は感光体ドラム６Ｍと搬送ベルト８上の転写紙１と接する位置（転写位置）で転写器１２Ｍによって転写され、転写紙１上に単色（マゼンタ）の画像を形成する。転写が終わった感光体ドラム６Ｍは、ドラム表面に残った不要なトナーを感光体クリーナ１０Ｍによってクリーニングされ、次の画像形成に備えることとなる。
【００２１】
このように、第１の画像形成部（マゼンタ）ＳＴ１で単色（マゼンタ）を転写された転写紙１は、搬送ベルト２によって第２の画像形成部（シアン）ＳＴ２に搬送される。ここでも、同様に感光体ドラム６Ｃ上に形成されたトナー像（シアン）は、転写紙１上のマゼンタの画像に重ねて転写される。転写紙１は、さらに第３の画像形成部（イエロー）ＳＴ３、第４の画像形成部（ブラック）ＳＴ４に搬送され、同様に形成されたトナー像が転写により重畳され、カラー画像が形成される。第４の画像形成部ＳＴ４を通過してカラー画像が形成された転写紙１は、搬送ベルト２から剥離され、定着器１３で定着された後、排紙される。
【００２２】
また、搬送ベルト２上には、位置合わせ用のパターンやプロセスコントロール用パターンを検知するための検知センサユニット１４が取り付けられている。形成されたパターンは、検知センサユニット１４にて検出が終了した後、クリーニングユニット１５にてクリーニングが行われる。
【００２３】
図２は本実施形態で使用されている光学ユニット概略構成を示す平面図である。
【００２４】
ＬＤユニットＢＫ２１及びＬＤユニットＹ２２からのレーザ光はシリンダレンズＣＹＬ_ＢＫ２３、ＣＹＬ_Ｙ２４を通り、反射ミラーＢＫ２５及び反射ミラーＹ２６によってポリゴンミラー２７の下方の面に入射し、ポリゴンミラー２７が回転することによりレーザ光を偏向し、ｆθレンズＢＫＣ２８及びｆθレンズＹＭ２９を通り、第１ミラーＢＫ３０及び第１ミラーＹ３１によって折り返される。一方、ＬＤユニットＣ３２及びＬＤユニットＭ３３からのレーザ光は、シリンダレンズＣＹＬ_Ｃ３４及びＣＹＬ_Ｍ３５を通り、ポリゴンミラー２７の上方の面に入射し、ポリゴンミラー２７が回転することによりレーザ光を偏向し、ｆθレンズＢＫＣ２８及びｆθレンズＹＭ２９を通り、第１ミラーＣ及び第１ミラーＭ３６によって折り返される。なお、各ＬＤユニットの発光源は、本実施形態では、レーザダイオード（ＬＤ）である。
【００２５】
主走査方向の書き出し位置より上流側にシリンダミラーＣＹＭ_ＢＫＣ３７及びＣＹＭ_ＹＭ３８さらには同期センサＢＫＣ３９及び同期センサＹＭ４０が設けられており、ｆθレンズＢＫＣ２８及びｆθレンズＹＭ２９を通ったレーザ光がシリンダミラーＣＹＭ_ＢＫＣ３７及びＣＹＭ_ＹＭ３８によって反射集光されて、同期センサＢＫＣ３９及びセンサＹＭ４０に入射するような構成となっている。これらのセンサは、主走査方向の同期を取るための同期検知センサである。
【００２６】
また、ＬＤユニットＢＫ２１及びＬＤユニットＣ２２からのレーザ光は、共通のシリンダミラーＣＹＭ_ＢＫＣ３７ならびに同期センサＢＫＣ３９を使用している。ＬＤユニットＹ及びＬＤユニットＭについても同様である。同じセンサに２色のレーザ光が入射することとなるので、各色のレーザ光のポリゴンミラー２７への入射角を異なるようにすることによってそれぞれのレーザ光が同期センサ３９，４０に入射するタイミングを変え、時系列的にパルス列として出力されるようになっている。図からも分かるように、ＢＫとＣ及びＹとＭは逆方向に走査される。
【００２７】
以上のように構成された画像形成装置及び光ビーム走査装置では、以下のように動作する。  
前述のように転写紙が厚紙やＯＨＰシートの場合にはトナーを定着させる時間を長くする必要があるため、転写紙の搬送速度を遅くする必要がある。転写紙の搬送速度を通常の１／２にする場合、ポリゴンミラー２７の回転数を１／２にする代わりに、ポリゴンミラー２７の回転数は変えずにポリゴンミラー２７を１面おきに使用して画像を形成することが可能である。
【００２８】
また、ポリゴンミラー２７のミラー面全てを使用して副走査位置合わせを行った状態で、ポリゴンミラー２７の１面おきに画像を形成する場合、使用するポリゴンミラー面が異なるとさらに１ライン分のずれを生じることがあり、転写紙上で重ね合わされる各色のトナー画像がずれることで画像品質が低下する。
【００２９】
そこで、本実施形態ではポリゴンミラー１面おきに画像形成する場合において、各光源で同一ポリゴンミラー面を使用するように同期検知信号発生タイミングを制御する。これによって画像のずれの位置合わせが可能となる。以下の説明の中で“点灯”とは同期センサ３９，４０に入射するタイミングでの点灯を意味する。
【００３０】
図３はＬＤ点灯開始信号を生成するための回路の回路構成を示すブロック図である。同図において、ＬＤ点灯開始信号を生成する回路は、ＣＰＵ４１、書き込み制御ＡＳＩＣ４２、ＬＤ点灯開始信号発生回路４３を備え、ＬＤ点灯開始信号発生回路４３から各ＬＤユニットＹ，Ｍ，Ｃ，Ｋ２２，３３，３２，２１に同期点灯信号Ｄ１，Ｄ２が出力される。また、同期センサＢＫＣ，ＭＹ３９，４０からは同期信号（同期センサ出力）が書き込み制御ＡＳＩＣ４２に入力され、書き込み制御ＡＳＩＣ４２からＬＤ点灯開始信号発生回路４３に同期信号とポリゴンモータクロックが出力される。ポリゴンモータクロックは、ポリゴンミラーの回転速度をコントロールするクロック信号（以下、ＰＭクロックとも称す）であり、ポリゴンモータ１回転につき１クロックで制御される。図２の光学系において、ＰＭクロックに同期して第１光源ユニット（ＬＤユニットＹ２２）を点灯し第１の同期信号Ｓ１を得る。次に、ＰＭクロックに同期して第２光源（ＬＤユニットＭ３３）を点灯し、第２の同期信号Ｓ２を得る。ＬＤユニットＢｋ２１、ＬＤユニットＣ３２も同様の制御を行い、４色の同期信号発生タイミングを一致させる。また、書き込み制御ＡＳＩＣ４２にはＣＰＵ４１の制御信号が入力される。
【００３１】
なお、回路の制御はＣＰＵ４１が図示しないＲＯＭに格納されたプログラムを図示しないＲＡＭをワークエリアとして使用しながら実行する。書き込み制御ＡＳＩＣ４２はＣＰＵ４１からの入力、同期信号入力に基づいて決められた処理を実行し、処理結果を後段に出力する。
【００３２】
以下、各実施例に分けて１面おきに画像を形成するための書き込みタイミング（同期信号発生タイミング）の補正について説明する。
【実施例１】
【００３３】
本実施例１では、同期信号発生タイミングは、基準の光源から生成される同期信号によって他のＬＤの点灯開始タイミングを制御する。図４はこのときのポリゴンミラー２７の照射面２７−１，３，５，７、非照射面２７−２，４，６、同期点灯信号Ｄ１，Ｄ２、及び同期信号の出力タイミングを示すタイミングチャートである。ポリゴンミラー２７の照射面２７−１，３，５，７は、図では画像形成に使用する面を白抜きで、画像形成に使用しない非照射面（飛ばす面）２７−２，２７−４，２７−６をハッチングで示している。なお、ポリゴンミラー２７の照射面、非照射面の表示については図２においても同様である。
【００３４】
すなわち、２つの光源ＬＤユニット（２１，２２）、（３２，３３）からのレーザ光が同一ポリゴンミラー面に入射する図２のような光学系において、ポリゴンミラー２７の照射面２７−１への照射開始に合わせて書き込み制御ＡＳＩＣ４２から第１の同期点灯信号Ｄ１を出力する。これにより第１光源ユニット（ここではＬＤユニットＹ２２とする）が点灯し、図２から分かるように感光体ドラム７を走査する直前にＬＤユニットＹ２２からのレーザ光が同期センサＭＹ４０に入射する。この入射によって同期センサＭＹ４０から同期信号Ｓ１が発生し、出力される。出力された同期信号Ｓ１は書き込み制御ＡＳＩＣ４２を経てＬＤ点灯開始信号発生回路４３に入力される。ＬＤ点灯開始信号発生回路４３は第１の同期信号Ｓ１に同期して第２の同期点灯信号Ｄ２を出力し、ミラー面がまだ非照射面２７−２である時点で第２光源ユニット（ＬＤユニットＭ３３とする）を点灯させる。
【００３５】
そして、次の第１の同期点灯信号Ｄ１が、照射面２７−３の位置が走査位置に達する直前に出力され、その直後のＬＤユニットＭ３３からのレーザ光の同期検知センサ４０への入射により同期検知センサ４０から第２の同期信号Ｓ２が発生する。第２の同期信号Ｓ２は第１の同期信号Ｓ１とともに、書き込み制御ＡＳＩＣ４２に入力される。このようにしてＬＤユニットＭ３３からのレーザ光が前記同期信号Ｓ１を得たポリゴンミラー２７の照射面２７−３に入射し同期信号Ｓ２が得られる。その結果、同一ポリゴンミラー面（照射面２７−３）で同期信号Ｓ１及びＳ２を得ることができる。その後、同じクロック間隔で同期点灯信号Ｄ１，Ｄ２が出力され、以降、１つおきの照射面２７−５，７・・・について同期信号Ｓ１及びＳ２を得ることができる。確実に１つおきのミラー面にレーザ光を照射し、走査させることができる。
【実施例２】
【００３６】
本実施例２では、同期信号発生タイミングを制御するために、同期信号発生タイミング計測手段と、同期信号発生タイミング補正手段を設け、同期信号発生タイミングを計測し、また補正している。図５はこのときのポリゴンミラーの照射面、同期点灯信号Ｄ１，Ｄ２、及び同期信号の出力タイミングを示すタイミングチャートである。
【００３７】
例えば、図２における第１光源ユニット（ＬＤユニットＹ２２）と第２光源ユニット（ＬＤユニットＭ３３）がすでに点灯した状態で、ミラー面２７−１について第１の同期点灯信号Ｄ１が、次のミラー面２７−２について第２の同期点灯信号Ｄ２が、次のミラー面２７−３について第１の同期点灯信号Ｄ１が、というように１つおきのミラー面に対応して第１及び第２の同期点灯信号Ｄ１，Ｄ２が交互に出力され、書き込みが行われている。この状態で、第１の同期点灯信号Ｄ１によって点灯したレーザ光を検出して第１の同期信号Ｓ１が発生し、第２の同期点灯信号Ｄ２によって点灯したレーザ光を検出して第２の同期信号Ｓ２が発生する。そこで、第１の同期信号Ｓ１が発生してから第２の同期信号Ｓ２が発生するまでの時間Ｔ２を書き込み制御ＡＳＩＣ４２のカウンタで計測する。第１の同期信号Ｓ１の周期をＴ１として、
１／４×Ｔ１＜Ｔ２
の場合はポリゴンミラー面が一致していないと判定し、ＬＤユニットＭ３３の同期タイミングをポリゴンミラー１面分だけ遅延させる。そして、再度第１の同期信号Ｓ１から第２の同期信号Ｓ２までの時間を計測し、
１／４×Ｔ１＞Ｔ２
であれば補正を終了する。
【実施例３】
【００３８】
本実施例３では、同期信号発生タイミングを制御するために、同期信号発生タイミング計測手段と、ＬＤ点灯を再実行（リトライ）する手段を設け、同期信号発生タイミングを計測し、また補正している。図６はこのときのポリゴンミラーの照射面、同期点灯信号Ｄ１，Ｄ２、及び同期信号の出力タイミングを示すタイミングチャートである。
【００３９】
本実施例３では、前記実施例２と同様に図２における第１光源ユニット（ＬＤユニットＹ２２）と第２光源ユニット（ＬＤユニットＭ３３）がすでに点灯した状態で、ミラー面２７−１について第１の同期点灯信号Ｄ１が、次のミラー面２７−２について第２の同期点灯信号Ｄ２が、次のミラー面２７−３について第１の同期点灯信号Ｄ１が、というように１つおきのミラー面に対応して第１及び第２の同期点灯信号Ｄ１，Ｄ２が交互に出力され、書き込みが行われている。この状態で、第１の同期信号Ｓ１が発生してから第２の同期信号Ｓ２が発生するまでの時間Ｔ２を書き込み制御ＡＳＩＣ４２のカウンタで計測する。第１の同期信号Ｓ１の周期をＴ１として、
１／４×Ｔ１＜Ｔ２
の場合はポリゴンミラー面が一致していないと判定し、ＬＤユニットＭ３３のＬＤを消灯する（ＴＭ−Ａ）。その後、ＬＤユニットＭ３３のＬＤを再点灯（ＴＭ−Ｂ）し、第２の同期信号Ｓ２が再び発生したら、前述の時間Ｔ２を計測し、
１／４×Ｔ１＞Ｔ２
であればリトライ制御を終了する。
【００４０】
なお、本実施形態では、直接転写方式のタンデム型カラー画像形成装置を例にとっているが、間接転写方式のタンデム型カラー画像形成装置でも同様である。
【００４１】
以上のように、本実施形態によれば、ポリゴンミラー１面おきに同期信号が発生するモードにおいて、各光源の同期信号を同一ポリゴンミラー面で発生させることができるので、光源間の副走査タイミング合わせが可能となる。
【図面の簡単な説明】
【００４２】
【図１】本発明の実施形態に係る直接転写方式のタンデム型カラー画像形成装置の概略構成を示す図である。
【図２】本実施形態で使用されている光学ユニット概略構成を示す平面図である。
【図３】本実施形態におけるＬＤ点灯開始信号を生成するための回路の回路構成を示すブロック図である。
【図４】実施例１におけるポリゴンミラーの照射面、非照射面、同期点灯信号、及び同期信号の出力タイミングを示すタイミングチャートである。
【図５】実施例２におけるポリゴンミラーの照射面、非照射面、同期点灯信号、及び同期信号の出力タイミングを示すタイミングチャートである。
【図６】実施例３におけるポリゴンミラーの照射面、非照射面、同期点灯信号、及び同期信号の出力タイミングを示すタイミングチャートである。
【符号の説明】
【００４３】
１  転写紙
２  搬送ベルト
６  感光体
７  帯電器
８  露光器
９  現像器
１０  感光体クリーナ
１１  レーザ光
１２  転写器
１３  定着器
２１，２２，３２，３３  ＬＤユニット
２７  ポリゴンミラー
３９，４０  同期検知センサ
４１  ＣＰＵ
４２  書き込み制御ＡＳＩＣ
４３  ＬＤ点灯開始信号発生回路
ＳＴ  画像形成部（ステーション）
【図１】
2009202470.tif 000003
【図２】
2009202470.tif 000004
【図３】
2009202470.tif 000005
【図４】
2009202470.tif 000006
【図５】
2009202470.tif 000007
【図６】
2009202470.tif 000008